(57)【特許請求の範囲】
【請求項１】
発光部材と、
この発光部材の上面に配置され且つ微細な貫通孔が多数形成された金属層と、
この金属層の上面に設けられた光透過シートと、
この光透過シートの上面および下面の少なくとも一方の所定個所に設けられた非光透過性の装飾部とを備えており、
前記金属層の前記貫通孔は、前記金属層の上下両面からエッチングすることにより、その下面側に位置する孔部の横断面積が上面側に位置する孔部の横断面積よりも大きく形成されていることを特徴とする表示部材。
【請求項２】
発光部材と、
この発光部材の上面に配置され且つ微細な貫通孔が多数形成された金属層と、
この金属層の上面に設けられた光透過シートと、
この光透過シートの上面および下面の少なくとも一方の所定個所に設けられた光透過性の装飾部とを備えており、
前記金属層の前記貫通孔は、前記金属層の上下両面からエッチングすることにより、その下面側に位置する孔部の横断面積が上面側に位置する孔部の横断面積よりも大きく形成されていることを特徴とする表示部材。
【請求項３】
前記光透過シートは、全体が着色されていることを特徴とする請求項１または２に記載の表示部材。
【請求項４】
前記光透過シートは、部分ごとに異なる色で着色されていることを特徴とする請求項１または２に記載の表示部材。
【請求項５】
前記下面側に位置する孔部は、前記上面側に位置する孔部が複数個対応する大きさに形成されていることを特徴とする請求項１又は２に記載の表示部材。
【請求項６】
請求項１から５のいずれかに記載の表示部材を時計ケース内に配置すると共に、この時計ケース内に配置された前記表示部材の上部位置に時計ガラスを配置したことを特徴とする時計。
【請求項７】
請求項１から５のいずれかに記載の表示部材を機器ケース内に配置したことを特徴とする電子機器。
【発明の詳細な説明】
【０００１】
【発明の属する技術分野】
この発明は、腕時計などの時計に用いられる発光機能を備えた表示部材、この表示部材を備えた時計および電子機器に関する。
【０００２】
【従来の技術】
従来、指針式の腕時計は、図１５に示すように、アナログムーブメント２を有する時計モジュール１を備え、この時計モジュール１の上面に時計用文字板３を設けた構成になっている。この場合、時計用文字板３の中心部には、軸挿入孔３ａが設けられている。この軸挿入孔３ａには、アナログムーブメント２の指針軸２ａが挿入されて上方に突出しており、この突出した指針軸２ａの上端部には、時針、分針などの指針４が取り付けられている。これにより、この腕時計では、指針４が時計用文字板３の上方を運針することにより、時刻を指示するように構成されている。
【０００３】
このような腕時計は、暗い所でも時刻を知ることができるように、時計用文字板３が、図１６に示すように構成されている。すなわち、この時計用文字板３は、ＥＬ素子（エレクトロルミネッセンス素子）などの平面発光型の発光部材５を備え、この発光部材５の上面に微細な貫通孔７が多数形成された薄膜状の金属層６を設け、この金属層６の上面における外周部に時字８（図１７および図１８参照）を設けると共に、金属層６の上面の所定個所に表示マークなどの装飾部９を印刷により設けた構造になっている。
【０００４】
この場合、金属層６の貫通孔７は、微細な孔であるが、金属層６の厚さよりも小さい孔径で形成することが困難であるため、金属層６の厚さよりも少し大きい孔径で形成されている。また、この金属層６は、貫通孔７の上側に装飾部９を印刷により設けることができないため、装飾部９を設ける個所の領域には貫通孔７を形成せず、この貫通孔７が形成されていない領域に装飾部９が設けられている。
【０００５】
この腕時計の時計用文字板３では、図１７に示すように、明るい所で指針４により時刻を知ることができるほか、金属層６により金属調の装飾効果が得られると共に、装飾部９による装飾効果が得られる。また、暗い所では、図１８に示すように、発光部材５を発光させると、その光が金属層６に形成された多数の貫通孔７を透過して金属層６の上面側を照明するので、暗い所でも時刻を知ることができる。
【０００６】
【発明が解決しようとする課題】
しかしながら、このような腕時計の時計用文字板３では、装飾部９が設けられる個所の金属層６の領域に貫通孔７を形成せずに装飾部９を設けているため、明るい所では、図１７に示すように、表示マークなどの装飾部９を視認することができても、暗い所では、図１８に示すように、装飾部９が設けられる個所の金属層６の領域が発光部材５からの光を遮断するため、装飾部９に対応する個所の領域全体が暗くなり、その分、発光部材５による全体の照明が暗くなり、装飾部９が見えないばかりか、指針４が見えにくくなり、時刻を視認しずらくなるという欠点がある。
【０００７】
この発明の課題は、暗い所でも発光部材で明るく照明することができ、良好に時刻を知ることができるようにすることである。
【０００８】
【課題を解決するための手段】
この発明は、上記課題を解決するために、次のような構成要素を備えている。なお、各構成要素には、後述する各実施形態の項で説明される各要素に付されている図面の参照番号などを括弧と共に付す。
請求項１に記載の発明は、図１〜図４、図６に示すように、発光部材（２０）と、この発光部材の上面に配置され且つ微細な貫通孔（２５）が多数形成された金属層（２１）と、この金属層の上面に設けられた光透過シート（２２）と、この光透過シートの上面および下面の少なくとも一方の所定個所に設けられた非光透過性の装飾部（２４）とを備えており、前記金属層の前記貫通孔は、前記金属層の上下両面からエッチングすることにより、その下面側に位置する孔部（２６ｂ）の横断面積が上面側に位置する孔部（２６ａ）の横断面積よりも大きく形成されていることを特徴とする表示部材（文字板１３）である。
この発明によれば、明るい所では良好に時刻などを知ることができるほか、光透過シートを通して金属層が見えるので、金属調の装飾効果が得られると共に、装飾部による装飾効果を得ることができ、また暗い所では発光部材からの光が金属層の多数の微細な貫通孔を通して光透過シートを透過し、その上面側を照明する際、非光透過性の装飾部の個所では光が遮断されるが、この装飾部に対応する個所の金属層にも貫通孔が多数形成されているので、従来例のように装飾部に対応する個所の領域全体が暗くならず、光透過シートの上面側のほぼ全体を明るく照明することができ、これにより暗い所でも良好に時刻などを知ることができると共に、暗い所でも装飾部をその輪郭により視認することができる。
また、金属層の貫通孔は、金属層の上下両面からエッチングすることにより、その下面側に位置する孔部の横断面積が上面側に位置する孔部の横断面積よりも大きく形成されていることから、貫通孔の上面側に位置する孔部を更に小さく形成することができるので、上面側から見て貫通孔が更に目立たないようにすることができ、且つ発光部材からの光を下面側に位置する孔部で十分に取り込むことができ、これにより貫通孔を透過する光量を確保することができるので、上面側に位置する孔部が小さくても、十分な照度を得ることができる。
【０００９】
また、請求項２に記載の発明は、図８〜図１０に示すように、発光部材（２０）と、この発光部材の上面に配置され且つ微細な貫通孔（２５）が多数形成された金属層（２１）と、この金属層の上面に設けられた光透過シート（２２）と、この光透過シートの上面および下面の少なくとも一方の所定個所に設けられた光透過性の装飾部（２８）とを備えており、前記金属層の前記貫通孔は、前記金属層の上下両面からエッチングすることにより、その下面側に位置する孔部（２６ｂ）の横断面積が上面側に位置する孔部（２６ａ）の横断面積よりも大きく形成されていることを特徴とする表示部材（文字板１３）である。
この発明によれば、明るい所では請求項１に記載の発明と同様、時刻などを知ることができると共に、金属調の装飾効果および装飾部による装飾効果を得ることができ、また暗い所では発光部材からの光が金属層の多数の微細な貫通孔を通して光透過シートを透過し、その上面側を照明する際、光透過性の装飾部をも光が透過するので、光透過シートおよび装飾部の上面側全体をほぼ均一に明るく照明することができ、これにより暗い所でも良好に時刻などを知ることができる。
また、金属層の貫通孔は、金属層の上下両面からエッチングすることにより、その下面側に位置する孔部の横断面積が上面側に位置する孔部の横断面積よりも大きく形成されていることから、貫通孔の上面側に位置する孔部を更に小さく形成することができるので、上面側から見て貫通孔が更に目立たないようにすることができ、且つ発光部材からの光を下面側に位置する孔部で十分に取り込むことができ、これにより貫通孔を透過する光量を確保することができるので、上面側に位置する孔部が小さくても、十分な照度を得ることができる。
【００１０】
この場合、請求項３に記載の発明は、図１１および図１２に示すように、光透過シート（３０）の全体が着色されていることにより、この光透過シート（３０）が着色された色に応じて金属層（２１）が加色されるので、加色された金属調の表現が得られる。
また、請求項４に記載の発明は、図１３および図１４に示すように、光透過シート（３２）が部分ごとに異なる色で着色されていることにより、金属層（２１）が部分ごとに異なる色で加色されるので、部分的に異なる色で加色された金属調の表現が得られる。
【００１１】
また、請求項５に記載の発明は、図７に示すように、金属層（２１）に形成された貫通孔（２７）の下面側に位置する孔部（２７ｂ）を、上面側に位置する孔部（２７ａ）が複数個対応する大きさに形成したことにより、下面側の孔部に対応する上面側の孔部の数を変更するだけで、光の透過量を変えることができ、これにより照度を変えることができる。
【００１２】
また、請求項７に記載の発明は、図１に示すように、請求項１から５のいずれかに記載の表示部材（時計用文字板１３）を時計ケース（１０）内に配置すると共に、この時計ケース内に配置された前記表示部材の上部位置に時計ガラス（１１）を配置したことを特徴とする時計である。
この発明によれば、表示部材を時計ケース内に配置しても、表示部材の上部位置に配置された時計ガラスを通して、表示部材を見ることができるので、この表示部材により暗い所でも時刻を知ることができると共に、表示部材により多彩な装飾効果を得ることができる。
また、請求項７に記載の発明は、請求項１から５のいずれかに記載の表示部材を機器ケース内に配置したことを特徴とする電子機器である。
この発明によれば、表示部材を機器ケース内に配置したので、この表示部材により暗い所でも時刻などを知ることができると共に、表示部材により多彩な装飾効果を得ることができる。
【００１３】
【発明の実施の形態】
［第１実施形態］
以下、図１〜図４を参照して、この発明を腕時計に適用した第１実施形態について説明する。
図１は腕時計の内部構造を示した要部の拡大断面図である。この腕時計は、腕時計ケース１０を備えている。この腕時計ケース１０の上部には、時計ガラス１１がパッキン１２を介して装着されており、腕時計ケース１０の内部には、時計用文字板１３と時計モジュール１４とが重なった状態で収納されている。また、腕時計ケース１０の下部には、裏蓋１５が防止リング１６を介して取り付けられている。
【００１４】
時計モジュール１４は、アナログ機能とデジタル機能のうち、少なくともアナログムーブメント１７を有するアナログ機能を備え、このアナログムーブメント１７の指針軸１８が時計用文字板１３の中心部に設けられた軸挿入孔１３ａを通して上方に突出し、この突出した指針軸１８の上端部に時針、分針、秒針などの指針１９が取り付けられ、これら指針１９が時計用文字板１３の上方を運針するように構成されている。
時計用文字板１３は、図２に示すように、発光部材２０と、この発光部材２０の上面に設けられた光透過性を有する金属層２１と、この金属層２１の上面に設けられた光透過シート２２と、この光透過シート２２の上面における外周部に設けられた時字２３（図３および図４参照）と、光透過シート２２の上面における所定個所に設けられた非光透過性の装飾部２４とを備え、これらが平板状に形成され、時計モジュール１４の上面に配置されている。
【００１５】
発光部材２０は、ＥＬ素子、または拡散板の下面に多数の発光ダイオードを配列した構造のもの、あるいは導光板の側面に発光ダイオードを配置した構造のものなどの平面発光体であり、点灯時に発光した光が上面側にほぼ均一に出射されるように構成されている。
金属層２１は、ステンレスなどの金属からなり、その厚さが０．１ｍｍ程度の薄膜状の金属箔である。この金属層２１には、図２に示すように、微細な貫通孔２５が多数形成されている。これら貫通孔２５は、薄膜状の金属箔の上下両面にマスク部を設け、このマスク部を介して金属箔を上下両面からエッチングすることにより、孔径が金属層２１の厚さよりも小さく且つ上下方向にほぼ同じ大きさで形成され、発光部材２０からの光が透過するように構成されている。
【００１６】
光透過シート２２は、合成樹脂からなる透明または半透明なシートであり、金属層２１の上面にその各貫通孔２５を覆って配置され、各貫通孔２５を透過した光が透過すように構成されている。
時字２３は、１２時、３時、６時、９時などを表す時刻マークであり、金属や合成樹脂などの非光透過性の材料で形成されている。
装飾部２４は、時計機能や表示モード状態などの表示マークであり、非光透過性の材料を印刷により光透過シート２２の上面の所定個所、例えば図３および図４に示すように、１２時、３時、６時、９時に対応する個所に設けられている。
【００１７】
このような時計用文字板１３によれば、明るい所では、金属層２１の貫通孔２５以外の面で外部光を反射するので、図３に示すように、指針１９の指示により時刻を知ることができるほか、金属層２１の貫通孔２５の孔径が金属層２１の厚さよりも小さく形成されているので、金属層２１に貫通孔２５を多数形成しても、貫通孔２５が目立たず、しかも光透過シート２２を通して金属層２１を視認することができるので、金属調の装飾効果を得ることができると共に、装飾部２４による装飾効果をも得ることができる。
【００１８】
また、暗い所では、発光部材２０を発光させると、その光が金属層２１の多数の貫通孔２５を透過し、この透過した光が光透過シート２２を透過してその上面側を照明する際、非光透過性の装飾部２４の個所では光が遮断されるが、この装飾部２４に対応する個所の金属層２１にも貫通孔２５が多数形成されているので、従来例のように装飾部９に対応する個所の領域全体が暗くならず、図４に示すように、発光部材２０からの光により光透過シート２２の上面側のほぼ全体を明るく照明することができ、これにより暗い所でも良好に時刻を知ることができると共に、暗い所でも装飾部２４をその輪郭により視認することができる。
【００１９】
また、この時計用文字板１３を用いた腕時計によれば、時計用文字板１３を腕時計ケース１内に配置しても、時計用文字板１３の上方に配置された時計ガラス２を通して、時計用文字板１３を見ることができるので、時計用文字板１３の金属層２１に貫通孔２５が多数形成されていても、孔径が小さいので、貫通孔２５が目立たずに、時計用文字板１３の金属層２１による金属調の装飾効果および装飾部２４による装飾効果が得られるほか、暗い所でも時刻を知ることができる。
【００２０】
なお、上記第１実施形態では、光透過シート２２の上面に装飾部２４を設けたが、これに限らず、例えば図５に示すように、光透過シート２２の下面における所定個所に装飾部２４を設けた構造でも良い。このような構造でも、第１実施形態と同様、発光部材２０からの光が金属層２１の多数の貫通孔２５を通して光透過シート２２を透過する際、非光透過性の装飾部２４によって遮光されても、発光部材２０からの光により光透過シート２２の上面側のほぼ全体を明るく照明することができるので、暗い所でも明るい所でも、時刻を知ることができると共に装飾部２４をも視認することができる。
【００２１】
また、上記第１実施形態では、金属層２１の貫通孔２５を上下方向にほぼ同じ大きさの孔径で形成したが、これに限らず、例えば、図６または図７に示すように形成しても良い。
すなわち、図６に示された変形例の貫通孔２６は、金属層２１の上下両面に互いに異なるマスク部を設け、このマスク部を介して金属層２１を上下両面からエッチングすることにより、金属層２１の上面側に位置する孔部２６ａの孔径が金属層２１の下面側に位置する孔部２６ｂの孔径よりも小さく形成されている。この場合には、上面側の孔部２６ａの形状と下面側の孔部２６ｂとの形状が同じあっても良く、また異なった形状であっても良い。
【００２２】
このような貫通孔２６が形成された金属層２１によれば、上面側に位置する孔部２６ａの孔径を第１実施形態よりも更に小さく形成できるので、上面側から見て貫通孔２６が更に目立たないようにすることができ、且つ下面側に位置する孔部２６ｂの孔径が大きいので、この下面側の孔部２６ｂで発光部材２０からの光を十分に取り込むことができ、これにより貫通孔２６を透過する光量を確保できるので、上面側の孔部２６ａが小さくても、十分な照度を得ることができ、これにより光透過シート２２の上方を明かる照明することができる。
【００２３】
また、図７に示された変形例の貫通孔２７は、金属層２１の上下両面に互いに異なるマスク部を設け、このマスク部を介して金属層２１を上下両面からエッチングすることにより、金属層２１の下面側に位置する孔部２７ｂを、金属層２１の上面側に位置する孔部２７ａが複数個（同図では３個）対応する大きさに形成した構造になっている。このような貫通孔２７が形成された金属層２１によれば、上記の貫通孔２６が形成された金属層２１と同様の作用効果があるほか、特に下面側の孔部２７ｂに対応する上面側の孔部２７ａの数を変更するだけで、光の透過量を変えることができ、これにより照度を変えることができる。
【００２４】
［第２実施形態］
次に、図８〜図１０を参照して、この発明を腕時計に適用した第２実施形態について説明する。なお、図１〜図４に示された第１実施形態と同一部分には同一符号を付して説明する。
この腕時計は、時計用文字板１３の光透過シート２２の上面における所定個所に光透過性の装飾部２８を設けた構造で、これ以外は第１実施形態とほぼ同じ構造になっている。この装飾部２８は、第１実施形態と同様、時計機能や表示モード状態などの表示マークであり、光透過性を有する材料を光透過シート２２上に印刷により設けた構造になっている。
【００２５】
このような時計用文字板１３によれば、第１実施形態と同様、明るい所では、図９に示すように、時刻を知ることができるほか、光透過シート２２を通して金属層２１による金属調の装飾効果、および装飾部２８による装飾効果が得られる。また、暗い所では、発光部材２０を発光させると、その光が金属層２１の多数の貫通孔２５を通して光透過シート２２を透過し、その上面側を照明する際、光透過性の装飾部２８をも透過するので、第１実施形態のように装飾部２４に対応する個所が暗くならず、図１０に示すように、光透過シート２２の上面側全体をほぼ均一に明るく照明することができ、これにより暗い所でも良好に時刻を知ることができると共に、発光部材２０からの光が装飾部２８を透過するので、暗い所では装飾部２８を見ることはできないが、明るい所では装飾部２８を視認することができるので、明るい所と暗い所とで異なる装飾効果が得られる。
【００２６】
なお、上記第２実施形態では、光透過シート２２の上面に光透過性の装飾部２８を設けたが、これに限らず、例えば図５に示した第１実施形態の変形例と同様に、光透過シート２２の下面における所定個所に装飾部２８を設けた構造でも良い。このような構造でも、第２実施形態と同様、発光部材２０からの光が金属層２１の多数の貫通孔２５を通して光透過シート２２を透過する際、光透過性の装飾部２８をも透過するので、光透過シート２２の上面側全体をほぼ均一に明るく照明することができ、これにより暗い所でも良好に時刻を知ることができ、且つ暗い所では装飾部２８が見えないが、明るい所では装飾部２８を視認できるので、明るい所と暗い所とで異なる装飾効果が得られる。
【００２７】
また、上記第２実施形態においても、金属層２１の貫通孔２５が上下方向にほぼ同じ大きさの孔径で形成されているが、これに限らず、例えば、図６に示した第１実施形態の変形例と同様に、金属層２１の上面側に位置する孔部２６ａの孔径を金属層２１の下面側に位置する孔部２６ｂの孔径よりも小さく形成した貫通孔２６でも良く、また図７に示した第１実施形態の変形例と同様に、金属層２１の下面側に位置する孔部２７ｂを、金属層２１の上面側に位置する孔部２７ａが複数個対応する大きさに形成した貫通孔２７でも良い。このように構成すれば、それぞれ前述した各変形例と同様の作用効果がある。
【００２８】
［第３実施形態］
次に、図１１および図１２を参照して、この発明を腕時計に適用した第３実施形態について説明する。この場合にも、図１〜図４に示された第１実施形態と同一部分に同一符号を付して説明する。
この腕時計は、時計用文字板１３の光透過シート３０を着色し、金属層２１に銀などの金属めっき３１を施した構造で、これ以外は第１実施形態と同じ構造になっている。すなわち、この光透過シート３０は、図１１（ａ）に示すように、印刷、塗装、あるいは材料に顔料を混入させることにより、光透過性を有して着色されている。また、金属層２１は、図１１（ｂ）に示すように、その貫通孔２５以外の上面に銀などの金属めっき３１が施されている。
【００２９】
このような時計用文字板１３によれば、第１実施形態と同様の作用効果があるほか、特に光透過シート３０が着色されているので、この着色された色に応じて金属層２１が加色され、この加色された金属調の表現が得られる。例えば、光透過シート３０を黄色に着色し、金属層２１に銀の金属めっき３１を施せば、金属層２１が金色で表現される。また、光透過シート３０をグレーに着色し、金属層２１に銀の金属めっき３１を施せば、金属層２１がチタンのような金属色で表現される。これにより、色彩のバリエーションが豊富になる。
なお、上記第３実施形態では、光透過シート３０を着色したが、これに限らず、発光部材２０の発光色を変えても、上記と同様、色彩に富んだ装飾効果が得られる。
【００３０】
［第４実施形態］
次に、図１３および図１４を参照して、この発明を腕時計に適用した第４実施形態について説明する。この場合にも、図１〜図４に示された第１実施形態と同一部分に同一符号を付して説明する。
この腕時計は、時計用文字板１３の光透過シート３２を部分ごとに異なる色で着色し、金属層２１に銀などの金属めっき３３を施した構造で、これ以外は第１実施形態と同じ構造になっている。すなわち、この光透過シート３２は、図１３（ａ）に示すように、印刷、塗装、あるいは材料に顔料を混入させることにより、同心円状の部分ごとに異なる色、例えば外周部側３２ａを黄色に着色し、中心部側３２ｂをグレーに着色した構造になっている。この場合にも、着色された外周部側３２ａおよび中心部側３２ｂのいずれも、光透過性を有する。また、金属層２１は、図１３（ｂ）に示すように、その貫通孔２５以外の上面に銀などの金属めっき３３が施されている。
【００３１】
このような時計用文字板１３によれば、第１実施形態と同様の作用効果があるほか、特に光透過シート３２を同心円状の部分ごとに異なる色で着色したので、着色された部分ごとに金属層２１がそれぞれ異なる色で加色され、これに応じた金属調の表現が得られる。例えば、光透過シート３２の外周部側３２ａが黄色に着色されていれば、外周部側３２ａが金色に表現され、また光透過シート３２の中心部側３２ｂがグレーに着色されていれば、中心部側３２ｂがチタンのような金属色に表現される。これにより、多彩な色彩の表現ができると共に、第３実施形態のものよりも、より一層、色彩のバリエーションが豊富になる。
なお、上記第４実施形態では、光透過シート３２を部分ごとに異なる色で着色したが、これに限らず、発光部材２０の発光色を部分ごとに変えても、上記と同様、多彩な色彩の装飾効果が得られる。
【００３２】
なお、上記第３、第４実施形態では、金属層２１の貫通孔２５を上下方向にほぼ同じ大きさの孔径で形成したが、これに限らず、例えば、図６に示した第１実施形態の変形例と同様に、金属層２１の上面側に位置する孔部２６ａの孔径を金属層２１の下面側に位置する孔部２６ｂの孔径よりも小さく形成した貫通孔２６でも良く、また図７に示した第１実施形態の変形例と同様に、金属層２１の下面側に位置する孔部２７ｂを、金属層２１の上面側に位置する孔部２７ａが複数個対応する大きさに形成した貫通孔２７でも良い。このように構成すれば、それぞれ前述した各変形例と同様の作用効果がある。
【００３３】
また、上記第３、第４実施形態では、光透過シート３０、３２に非光透過性の装飾部２４を設けたが、これに限らず、第２実施形態と同様に光透過性の装飾部２８を設けても良く、また装飾部２４、２８は必ずしも光透過シート３０、３２の上面に設ける必要はなく、図５に示した第１実施形態の変形例および第２実施形態の変形例と同様に、光透過シート３０、３２の下面の所定個所に設けても良い。
また、上記第１〜第４実施形態およびその各変形例では、光透過シート２２、３０、３２に非光透過性の装飾部２４と光透過性の装飾部２８との一方のみを設けたが、これに限らず、非光透過性の装飾部２４と光透過性の装飾部２８とを光透過シート２２、３０、３２の上下面に組み合わせて設けても良い。
さらに、上記第１〜第４実施形態およびその各変形例では、この発明を時計用文字板または腕時計について適用した場合について説明しているが、これに限定されず、携帯電話機、電子手帳、携帯端末機などの各種の電子機器に使われる表示部材にも、また、このような表示部材を機器ケース内に配置した各種の電子機器にも適用可能である。
【００３４】
【発明の効果】
以上説明したように、請求項１に記載の発明によれば、発光部材の上面に微細な貫通孔が多数形成された金属層を配置し、この金属層の上面に光透過シートを設け、この光透過シートの上面および下面の少なくとも一方に非光透過性の装飾部を設けたので、明るい所では良好に時刻などを知ることができるほか、光透過シートを通して金属層が見えるので、金属調の装飾効果が得られると共に、装飾部による装飾効果を得ることができ、また暗い所では発光部材からの光が金属層の多数の微細な貫通孔を通して光透過シートを透過し、その上面側を照明する際、非光透過性の装飾部の個所では光が遮断されるが、この装飾部に対応する個所の金属層にも貫通孔が多数形成されているので、従来例のように装飾部に対応する個所の領域全体が暗くならず、光透過シートの上面側のほぼ全体を明るく照明することができ、これにより暗い所でも良好に時刻などを知ることができると共に、暗い所でも装飾部をその輪郭により視認することができる。
また、金属層の貫通孔は、金属層の上下両面からエッチングすることにより、その下面側に位置する孔部の横断面積が上面側に位置する孔部の横断面積よりも大きく形成されていることから、貫通孔の上面側に位置する孔部を更に小さく形成することができるので、上面側から見て貫通孔が更に目立たないようにすることができ、且つ発光部材からの光を下面側に位置する孔部で十分に取り込むことができ、これにより貫通孔を透過する光量を確保することができるので、上面側に位置する孔部が小さくても、十分な照度を得ることができる。
【００３５】
また、請求項２に記載の発明によれば、発光部材の上面に微細な貫通孔が多数形成された金属層を配置し、この金属層の上面に光透過シートを設け、この光透過シートの上面および下面の少なくとも一方に光透過性の装飾部を設けたので、明るい所では請求項１に記載の発明と同様、時刻などを知ることができると共に、金属調の装飾効果および装飾部による装飾効果を得ることができ、また暗い所では発光部材からの光が金属層の多数の微細な貫通孔を通して光透過シートを透過し、その上面側を照明する際、光透過性の装飾部をも光が透過するので、光透過シートおよび装飾部の上面側全体をほぼ均一に明るく照明することができ、これにより暗い所でも良好に時刻などを知ることができる。
また、金属層の貫通孔は、金属層の上下両面からエッチングすることにより、その下面側に位置する孔部の横断面積が上面側に位置する孔部の横断面積よりも大きく形成されていることから、貫通孔の上面側に位置する孔部を更に小さく形成することができるので、上面側から見て貫通孔が更に目立たないようにすることができ、且つ発光部材からの光を下面側に位置する孔部で十分に取り込むことができ、これにより貫通孔を透過する光量を確保することができるので、上面側に位置する孔部が小さくても、十分な照度を得ることができる。
【００３６】
また、請求項５に記載の発明は、金属層に形成された貫通孔の下面側に位置する孔部を、上面側に位置する孔部が複数個対応する大きさに形成したことにより、下面側の孔部に対応する上面側の孔部の数を変更するだけで、光の透過量を変えることができ、これにより照度を変えることができる。
さらに、請求項６に記載の発明によれば、こうした構成を備えている表示部材を時計ケース内に配置しても、表示部材の上部位置に配置された時計ガラスを通して、表示部材を見ることができるので、この表示部材により暗い所でも時刻を知ることができると共に、表示部材により多彩な装飾効果を得ることができる。
また、請求項７に記載の発明によれば、こうした構成を備えている表示部材を機器ケース内に配置したので、この表示部材により暗い所でも時刻などを知ることができると共に、表示部材により多彩な装飾効果を得ることができる。
【図面の簡単な説明】
【図１】この発明を腕時計に適用した第１実施形態の内部構造を示した要部の拡大断面図。
【図２】図１の時計用文字板の要部の拡大断面図。
【図３】図１の時計用文字板を明るい所で見た状態の上面図。
【図４】図１の時計用文字板の発光部材を発光させて暗い所で見た状態の上面図。
【図５】図２の光透過シートの下面に装飾部を設けた場合の変形例を示した要部の拡大断面図。
【図６】時計用文字板の金属層に設けられた貫通孔の変形例を示した要部の拡大断面図。
【図７】時計用文字板の金属層に設けられた貫通孔の他の変形例を示した要部の拡大断面図。
【図８】この発明を腕時計に適用した第２実施形態における時計用文字板の要部の拡大断面図。
【図９】図８の時計用文字板を明るい所で見た状態の上面図。
【図１０】図８の時計用文字板の発光部材を発光させて暗い所で見た状態の上面図。
【図１１】この発明を腕時計に適用した第２実施形態の時計用文字板を示し、（ａ）は着色された光透過シートの上面図、（ｂ）は金属めっきが施された金属層の上面図。
【図１２】図１１（ｂ）の金属層上に図１１（ａ）の光透過シートを重ね合わせて金属層が加色された状態を示した時計用文字板の上面図。
【図１３】この発明を腕時計に適用した第２実施形態の時計用文字板を示し、（ａ）は部分ごとに異なる色で着色された光透過シートの上面図、（ｂ）は金属めっきが施された金属層の上面図。
【図１４】図１３（ｂ）の金属層上に図１３（ａ）の光透過シートを重ね合わせて金属層が部分ごとに加色された状態を示した時計用文字板の上面図。
【図１５】従来の腕時計の時計モジュールおよび時計用文字板を示した要部の拡大断面図。
【図１６】図１５の時計用文字板の要部を拡大した断面図。
【図１７】図１５の時計用文字板を明るい所で見た状態の上面図。
【図１８】図１５の時計用文字板の発光部材を発光させて暗い所で見た状態の上面図。
【符号の説明】
１０  時計ケース
１１  時計ガラス
１３  時計用文字板（表示部材）
１４  時計モジュール
２０  発光部材
２１  金属層
２２、３０、３２  光透過シート
２４  非光透過性の装飾部
２５、２６、２７  貫通孔
２６ａ、２７ａ  上面側の孔部
２６ｂ、２７ｂ  下面側の孔部
２８  光透過性の装飾部
【図１】
0003743885.tif 000002
【図２】
0003743885.tif 000003
【図３】
0003743885.tif 000004
【図４】
0003743885.tif 000005
【図５】
0003743885.tif 000006
【図６】
0003743885.tif 000007
【図７】
0003743885.tif 000008
【図８】
0003743885.tif 000009
【図９】
0003743885.tif 000010
【図１０】
0003743885.tif 000011
【図１１】
0003743885.tif 000012
【図１２】
0003743885.tif 000013
【図１３】
0003743885.tif 000014
【図１４】
0003743885.tif 000015
【図１５】
0003743885.tif 000016
【図１６】
0003743885.tif 000017
【図１７】
0003743885.tif 000018
【図１８】
0003743885.tif 000019